(57)【要約】【課題】予約番組の移動の検出精度を向上させることができる予約番組移動検出方法、及び、この方法を実行する番組予約装置を提供する。【解決手段】利用者により予約操作が実行されたときに番組情報保存領域７に保存されている電子番組情報から予約された番組の番組タイトルを取得し、予約操作後の所定の時刻に更新された電子番組情報を取得し、予約された番組の番組タイトルから除外文字データ記憶部８に記憶されている除外文字を除外して除外済予約番組タイトルを生成し、更新された電子番組情報に含まれる番組タイトルと除外済予約番組タイトルとを比較することによって文字の一致の度合いを検出し、この一致の度合いに基づいて予約された番組の放送予定日時が更新された電子番組情報において変更されているか否かを検出し、自動的に、予約された番組の放送日時を、変更後の番組放送予定に基づく日時に変更する。【選択図】        図１
2006197157.tif 000002
【特許請求の範囲】
【請求項１】
電子番組情報を取得するステップと、
予約したい番組が放送されるチャンネル及び放送日時を設定する予約操作を実行したときに、前記電子番組情報から予約された番組の番組タイトルを取得するステップと、
前記予約操作を実行した後に、更新された電子番組情報を取得するステップと、
所定の除外文字を除外して、前記更新された電子番組情報に含まれる番組タイトルと前記予約番組タイトルとを比較することによって文字の一致の度合いを検出し、前記一致の度合いに基づいて前記予約された番組の放送予定日時が前記更新された電子番組情報において変更されているか否かを検出するステップと
を有することを特徴とする予約番組移動検出方法。
【請求項２】
前記放送予定日時が変更されているか否かを検出する前記ステップが、
前記予約された番組の番組タイトルから所定の除外文字を除外して除外済予約番組タイトルを生成するステップと、
前記更新された電子番組情報に含まれる番組タイトルと前記除外済予約番組タイトルとを比較することによって文字の一致の度合いを検出し、前記一致の度合いに基づいて前記予約された番組の放送予定日時が前記更新された電子番組情報において変更されているか否かを検出するステップと
を有することを特徴とする請求項１に記載の予約番組移動検出方法。
【請求項３】
前記放送日時及び前記放送予定日時のそれぞれは、前記予約された番組の放送開始の日・時刻と放送終了の日・時刻に関する情報、前記予約された番組の放送開始の日・時刻と放送時間長に関する情報、及び、前記予約された番組の放送終了の日・時刻と放送時間長に関する情報の内の少なくとも１つの前記情報を含むことを特徴とする請求項１又は２のいずれかに記載の予約番組移動検出方法。
【請求項４】
前記除外文字は、所定の記号、スペース、区切り点、括弧、及び、外字文字の内の１つ以上を含むことを特徴とする請求項１から３までのいずれかに記載の予約番組移動検出方法。
【請求項５】
前記予約された番組の放送予定日時が変更されたことが検出されたときに、前記予約された番組について設定されている放送日時を、変更された前記放送予定日時に自動的に変更するステップをさらに有することを特徴とする請求項１から４までのいずれかに記載の予約番組移動検出方法。
【請求項６】
前記比較の対象となる前記更新された電子番組情報に含まれる番組タイトルは、前記予約された番組のチャンネルと同じチャンネルの番組の番組タイトルであって、前記予約された番組の放送日時を基準に所定範囲内に放送開始される番組の番組タイトルであることを特徴とする請求項１から５までのいずれかに記載の予約番組移動検出方法。
【請求項７】
複数の日の同じ時刻に放送される番組を一括して予約する連続予約が設定された場合には、前記比較の対象となる前記更新された電子番組情報に含まれる番組タイトルは、前記予約された番組のチャンネルと同じチャンネルの番組の番組タイトルであって、前記予約された番組の前記複数の日のそれぞれにおける放送時刻を基準に所定範囲内に放送開始される番組の番組タイトルであることを特徴とする請求項１から５までのいずれかに記載の予約番組移動検出方法。
【請求項８】
前記一致の度合いは、前記更新された電子番組情報に含まれる番組タイトルと前記除外済予約番組タイトルとの間で一致する文字の数に等しいポイントで表されることを特徴とする請求項１から７までのいずれかに記載の予約番組移動検出方法。
【請求項９】
前記一致の度合いは、
前記更新された電子番組情報に含まれる番組タイトルと前記除外済予約番組タイトルとの間で一致する文字の数に基づいて決まるポイントに、
前記更新された電子番組情報に含まれる番組タイトルと前記除外済予約番組タイトルとの間で一致する文字列の文字数とに基づいて決まるポイントと、前記更新された電子番組情報に含まれる番組タイトルと前記除外済予約番組タイトルとの間で一致する文字配列に基づいて決まるポイントと、前記更新された電子番組情報に含まれる番組タイトルの長さと前記予約番組タイトルの長さの比較結果に基づいて決まるポイントとのいずれか１つ以上のポイントを加算することによって得られたポイント
で表されることを特徴とする請求項１から７までのいずれかに記載の予約番組移動検出方法。
【請求項１０】
前記ポイントが最大の番組が１つである場合には、前記ポイントが最大の番組が前記予約された番組であると判定することを特徴とする請求項８又は９のいずれかに記載の予約番組移動検出方法。
【請求項１１】
前記ポイントが最大の番組が１つである場合には、前記ポイントが最大の番組のポイントと前記ポイントが２番目の番組のポイントとの比較結果が所定の条件を満たすときに、前記ポイントが最大の番組が前記予約された番組であると判定することを特徴とする請求項８又は９のいずれかに記載の予約番組移動検出方法。
【請求項１２】
前記更新された電子番組情報に含まれる番組の放送時間長と前記予約された番組の放送時間長とを比較するステップをさらに有し、
前記更新された電子番組情報に含まれる番組の放送時間長と前記予約された番組の放送時間長とが所定値以上の違いを有する場合には、前記更新された電子番組情報に含まれる番組タイトルと前記除外済予約番組タイトルとの間の比較を実行しない
ことを特徴とする請求項１から１１までのいずれかに記載の予約番組移動検出方法。
【請求項１３】
前記除外文字を変更するステップをさらに有することを特徴とする請求項１から１２までのいずれかに記載の予約番組移動検出方法。
【請求項１４】
放送信号を受信する受信手段と、
電子番組情報を取得する番組情報取得手段と、
前記番組情報取得手段により取得された電子番組情報を保存する番組情報保存手段と、
除外文字を記憶する除外文字データ記憶手段と、
装置全体の動作を制御する制御手段と
を有し、
前記制御手段は、
予約したい番組が放送されるチャンネル及び放送日時を設定する予約操作が利用者により実行されたときに、前記番組情報保存手段に保存されている電子番組情報から予約された番組の番組タイトルを取得し、
前記予約操作後の所定の時刻に、前記番組情報取得手段に更新された電子番組情報を取得させ、
前記除外文字を除外して、前記更新された電子番組情報に含まれる番組タイトルと前記予約番組タイトルとを比較することによって文字の一致の度合いを検出し、前記一致の度合いに基づいて前記予約された番組の放送予定日時が前記更新された電子番組情報において変更されているか否かを検出する
ことを特徴とする番組予約装置。
【請求項１５】
前記放送予定日時が変更されているか否かを検出する処理は、
前記予約された番組の番組タイトルから前記除外文字データ記憶手段に記憶されている前記除外文字を除外して除外済予約番組タイトルを生成する処理と、
前記更新された電子番組情報に含まれる番組タイトルと前記除外済予約番組タイトルとを比較することによって文字の一致の度合いを検出し、前記一致の度合いに基づいて前記予約された番組の放送予定日時が前記更新された電子番組情報において変更されているか否かを検出する処理と
を有することを特徴とする請求項１４に記載の番組予約装置。
【請求項１６】
前記放送日時及び前記放送予定日時のそれぞれは、前記予約された番組の放送開始の日・時刻と放送終了の日・時刻に関する情報、前記予約された番組の放送開始の日・時刻と放送時間長に関する情報、及び、前記予約された番組の放送終了の日・時刻と放送時間長に関する情報の内の少なくとも１つの前記情報を含むことを特徴とする請求項１４又は１５のいずれかに記載の番組予約装置。
【請求項１７】
前記除外文字は、所定の記号、スペース、区切り点、括弧、及び、外字文字の内の１つ以上を含むことを特徴とする請求項１４から１６までのいずれかに記載の番組予約装置。
【請求項１８】
前記制御手段は、前記予約された番組の放送予定日時が変更されたことが検出されたときに、前記予約された番組について設定されている放送日時を、変更された前記放送予定日時に自動的に変更することを特徴とする請求項１４から１７までのいずれかに記載の番組予約装置。
【請求項１９】
前記比較の対象となる前記更新された電子番組情報に含まれる番組タイトルは、前記予約された番組のチャンネルと同じチャンネルの番組の番組タイトルであって、前記予約された番組の放送日時を基準に所定範囲内に放送開始される番組の番組タイトルであることを特徴とする請求項１４から１８までのいずれかに記載の番組予約装置。
【請求項２０】
複数の日の同じ時刻に放送される番組を一括して予約する連続予約が設定された場合には、前記比較の対象となる前記更新された電子番組情報に含まれる番組タイトルは、前記予約された番組のチャンネルと同じチャンネルの番組の番組タイトルであって、前記予約された番組の前記複数の日のそれぞれにおける放送時刻を基準に所定範囲内に放送開始される番組の番組タイトルであることを特徴とする請求項１４から１８までのいずれかに記載の番組予約装置。
【請求項２１】
前記一致の度合いは、前記更新された電子番組情報に含まれる番組タイトルと前記除外済予約番組タイトルとの間で一致する文字の数に等しいポイントで表されることを特徴とする請求項１４から２０までのいずれかに記載の番組予約装置。
【請求項２２】
前記一致の度合いは、
前記更新された電子番組情報に含まれる番組タイトルと前記除外済予約番組タイトルとの間で一致する文字の数に基づいて決まるポイントに、
前記更新された電子番組情報に含まれる番組タイトルと前記除外済予約番組タイトルとの間で一致する文字列の文字数とに基づいて決まるポイントと、前記更新された電子番組情報に含まれる番組タイトルと前記除外済予約番組タイトルとの間で一致する文字配列に基づいて決まるポイントと、前記更新された電子番組情報に含まれる番組タイトルの長さと前記予約番組タイトルの長さの比較結果に基づいて決まるポイントとのいずれか１つ以上のポイントを加算することによって得られたポイント
で表されることを特徴とする請求項１４から２０までのいずれかに記載の番組予約装置。
【請求項２３】
前記制御手段は、前記ポイントが最大の番組が１つである場合には、前記ポイントが最大の番組が前記予約された番組であると判定することを特徴とする請求項２１又は２２のいずれかに記載の番組予約装置。
【請求項２４】
前記制御手段は、前記ポイントが最大の番組が１つである場合には、前記ポイントが最大の番組のポイントと前記ポイントが２番目の番組のポイントとの比較結果が所定の条件を満たすときに、前記ポイントが最大の番組が前記予約された番組であると判定することを特徴とする請求項２１又は２２のいずれかに記載の番組予約装置。
【請求項２５】
前記制御手段は、
前記更新された電子番組情報に含まれる番組の放送時間長と前記予約された番組の放送時間長とを比較し、
前記更新された電子番組情報に含まれる番組の放送時間長と前記予約された番組の放送時間長とが所定値以上の違いを有する場合には、前記更新された電子番組情報に含まれる番組タイトルと前記除外済予約番組タイトルとの間の比較を実行しない
ことを特徴とする請求項１４から２４までのいずれかに記載の番組予約装置。
【請求項２６】
前記制御手段は、前記除外文字を変更するための除外文字データ入力に基づいて前記除外文字データ記憶手段に記憶されている除外文字を変更することを特徴とする請求項１４から２５までのいずれかに記載の番組予約装置。
【請求項２７】
前記受信手段により受信される放送信号を記録する記録手段をさらに有し、
前記記録手段は、前記予約された番組を記録する
ことを特徴とする請求項１４から２６までのいずれかに記載の番組予約装置。
【発明の詳細な説明】
【技術分野】
【０００１】
本発明は、ＤＶＤレコーダやハードディスクレコーダ等のような記録再生装置、テレビ受像機等のような放送番組表示装置、及び放送チューナー等のような放送受信装置において、放送される番組の録画、視聴、録音、及び聴取等を予約する番組予約装置に関し、特に、番組予約装置により番組予約をした後に放送番組予定に変更が生じ予約された番組の放送日時（放送日・時刻）が移動した場合に、この予約された番組の放送日時の移動を検出するための予約番組移動検出方法に関するものである。
【背景技術】
【０００２】
従来の予約録画装置として、連続番組の放送時間が変更された場合に予約時間を自動的に変更するものがある。この装置では、録画予約時に予約番組の番組タイトルを保存しておき、録画予約を翌日以降の日に対象日を変えて実行する際には、その開始時刻を中心とする所定の時間の範囲内の時間帯で、その番組タイトル名を元に、その日に放送される録画目的の番組を検出し、検出された番組の開始時刻及び終了時刻情報を得て録画予約を実行する（例えば、特許文献１参照）。
【０００３】
【特許文献１】特開２００３−４６９２１号公報（段落０００９、第１図）
【発明の開示】
【発明が解決しようとする課題】
【０００４】
しかしながら、特許文献１の装置においては、予約番組の番組タイトルとＥＰＧ情報中の番組タイトルとを比較し、文字の一致の程度によって予約番組を特定するので、予約番組の番組タイトルに類似したタイトル（共通の文字を含むタイトル）を持つ番組が複数存在する場合には、誤った番組を予約番組であると検出してしまい、その結果、予約番組の放送日時を実際の放送日時と異なる日時に変更してしまうことがあるという問題があった。
【０００５】
そこで、本発明は、上記したような従来技術の課題を解決するためになされたものであり、予約番組の移動の検出精度を向上させることができる予約番組移動検出方法、及び、この方法を実行する番組予約装置を提供することを目的とする。
【課題を解決するための手段】
【０００６】
本発明の予約番組移動検出方法は、電子番組情報を取得するステップと、予約したい番組が放送されるチャンネル及び放送日時を設定する予約操作を実行したときに、前記電子番組情報から予約された番組の番組タイトルを取得するステップと、前記予約操作を実行した後に、更新された電子番組情報を取得するステップと、前記予約された番組の番組タイトルから所定の除外文字を除外して除外済予約番組タイトルを生成するステップと、前記更新された電子番組情報に含まれる番組タイトルと前記除外済予約番組タイトルとを比較することによって文字の一致の度合いを検出し、前記一致の度合いに基づいて前記予約された番組の放送予定日時が前記更新された電子番組情報において変更されているか否かを検出するステップとを有するものである。
【０００７】
また、本発明の番組予約装置は、放送信号を受信する受信手段と、電子番組情報を取得する番組情報取得手段と、前記番組情報取得手段により取得された電子番組情報を保存する番組情報保存手段と、除外文字を記憶する除外文字データ記憶手段と、装置全体の動作を制御する制御手段とを有し、前記制御手段は、予約したい番組が放送されるチャンネル及び放送日時を設定する予約操作が利用者により実行されたときに、前記番組情報保存手段に保存されている電子番組情報から予約された番組の番組タイトルを取得し、前記予約操作後の所定の時刻に、前記番組情報取得手段に更新された電子番組情報を取得させ、前記予約された番組の番組タイトルから前記除外文字データ記憶手段に記憶されている前記除外文字を除外して除外済予約番組タイトルを生成し、前記更新された電子番組情報に含まれる番組タイトルと前記除外済予約番組タイトルとを比較することによって文字の一致の度合いを検出し、前記一致の度合いに基づいて前記予約された番組の放送予定日時が前記更新された電子番組情報において変更されているか否かを検出するものである。
【発明の効果】
【０００８】
本発明によれば、予約された番組の番組タイトルから所定の除外文字を除外して除外済予約番組タイトルを生成し、更新された電子番組情報に含まれる番組タイトルと除外済予約番組タイトルとを比較することによって文字の一致の度合いを検出し、この一致の度合いに基づいて予約された番組の放送予定日時が更新された電子番組情報において変更されているか否かを検出するので、除外文字を除外せずに比較を行う場合に比べ、予約番組の移動の検出精度を向上させることができるという効果が得られる。
【発明を実施するための最良の形態】
【０００９】
実施の形態１．
図１は、本発明の実施の形態１に係る番組予約装置（すなわち、実施の形態１に係る予約番組移動検出方法を実施することができる装置）の構成を概略的に示すブロック図である。図１に示されるように、実施の形態１に係る番組予約装置は、放送波信号が入力されるアンテナ入力端子１と、利用者の操作に基づく予約設定情報が入力される予約設定情報入力端子２と、テレビ信号を記録する録画部３と、チューナー４と、ＥＰＧ復号器５と、マイコン６と、番組情報保存領域（番組情報保存部）７と、除外文字データ記憶部８とを有する。図１には、番組予約装置が録画再生装置である場合を示しているが、番組予約装置は、テレビ受像機等のような放送番組表示装置及び放送チューナー等のような放送受信装置にも組み込むことができる。
【００１０】
チューナー４は、録画部３で録画を行う場合は、録画したい番組を放送するチャンネルを選局し、選局されたテレビ信号を録画部３へ出力する。また、チューナー４は、電子番組情報であるＥＰＧを受信する場合は、ＥＰＧを送信するチャンネルを選局し、番組情報が重畳されたテレビ信号をＥＰＧ復号器５へ出力する。ＥＰＧの受信は、例えば、番組予約装置によって予め決められた時間に実行される。また、ＥＰＧの内容は、ＥＰＧ提供者によって更新される。
【００１１】
録画部３は、テレビ信号を情報記録媒体に記録する。情報記録媒体としては、ハードディスク、光ディスク、及び磁気テープ等が含まれる。番組情報保存領域７は、例えば、ハードディスク又は不揮発性メモリ等における保存領域である。除外文字データ記憶部８は、例えば、ハードディスク又は不揮発性メモリ等の記憶部である。
【００１２】
ＥＰＧ復号器５は、入力されたテレビ信号から番組情報データを抽出及び復号し、復号された番組情報データをマイコン６へ出力する。マイコン６は、ＥＰＧ復号器５から出力された番組情報データを、放送日時及びチャンネルを指定して番組情報を取り出すことが可能な番組情報データベースに変換して、番組情報保存領域７へ保存する。
【００１３】
図２は、番組情報保存領域７に番組情報データベースとして保存される番組情報の例を示す説明図である。図２に示されるように、番組情報保存領域７に番組情報データベースとして保存される番組情報には、番組を放送するチャンネル（例えば、チャンネル欄に示される「６」）と、番組の放送開始日時（例えば、放送開始日時欄に示される「２００４年１１月１０日１９時００分」）と、番組の放送終了日時（例えば、放送終了日時欄に示される「２００４年１１月１０日２０時５４分」）と、番組タイトル名（例えば、番組タイトル欄に示される「ゴールデンバラエティ」）とが含まれる。
【００１４】
図３は、利用者の設定操作により予約設定情報入力端子２に入力された予約設定情報の例を示す説明図である。図３に示されるように、予約設定情報入力端子２に入力された予約設定情報には、予約された番組（以下「予約番組」と言う。）を放送するチャンネル（例えば、チャンネル欄に示される「１０」）と、予約番組の放送開始日時（例えば、放送開始日時欄に示される「２００４年１１月１１日１１時００分」）と、予約番組の放送終了日時（例えば、放送終了日時欄に示される「２００４年１１月１１日１２時００分」）と、曜日モード（例えば、曜日モード欄に示される「１」）とが含まれる。曜日モードは、予約情報に基づく動作（例えば、録画や視聴等）を、１回のみ実施する、毎日実施する、毎週実施する等の予約動作モードの種類を数字で表したものである。
【００１５】
図４は、予約設定情報入力端子２を通して録画部３へ入力される曜日モードの一例を示す説明図である。図４に示される例においては、予約情報に基づく動作を１回のみ実施する場合の曜日モードは「１」であり、予約情報に基づく動作を毎日実施する場合の曜日モードは「２」である。また、予約情報に基づく動作を日曜日にのみ実施する場合の曜日モードは「３」であり、予約情報に基づく動作を月曜日にのみ実施する場合の曜日モードは「４」であり、予約情報に基づく動作を火曜日にのみ実施する場合の曜日モードは「５」であり、予約情報に基づく動作を水曜日にのみ実施する場合の曜日モードは「６」であり、予約情報に基づく動作を木曜日にのみ実施する場合の曜日モードは「７」であり、予約情報に基づく動作を金曜日にのみ実施する場合の曜日モードは「８」であり、予約情報に基づく動作を土曜日にのみ実施する場合の曜日モードは「９」である。さらにまた、予約情報に基づく動作を月曜日から金曜日までの毎週５日実施する場合の曜日モードは「１０」であり、予約情報に基づく動作を月曜日から土曜日までの毎週６日実施する場合の曜日モードは「１１」であり、予約情報に基づく動作を火曜日から土曜日までの毎週５日実施する場合の曜日モードは「１２」であり、予約情報に基づく動作を火曜日から日曜日までの毎週６日実施する場合の曜日モードは「１３」である。
【００１６】
図５は、録画部３が、利用者の設定操作により予約設定情報入力端子２に入力された予約設定情報に基づいて番組情報保存領域７から番組タイトルを取得することによって生成された予約情報の一例を示す説明図である。図５に示されるように、録画部３により生成された予約情報には、予約番組を放送するチャンネル（例えば、チャンネル欄に示される「１０」）と、予約番組の放送開始日時（例えば、放送開始日時欄に示される「２００４年１１月１１日１１時００分」）と、予約番組の放送終了日時（例えば、放送終了日時欄に示される「２００４年１１月１１日１２時００分」）と、曜日モード（例えば、曜日モード欄に示される「１」）と、予約番組のタイトル（例えば、番組タイトル欄に示される「ニュースお昼前」）とが含まれる。なお、図５に示される予約情報において、曜日モードに予約情報に基づく動作が１回のみである場合を示す「１」が指定されたときと、それ以外のときとでは、放送日に関する扱いが異なる。曜日モードに「１」が指定された場合は、その放送日のみの番組の予約を表すが、放送日の曜日モードに「１」以外が設定された場合には、曜日モードで示された曜日に放送される複数の番組の予約を表す。
【００１７】
図５に示される予約情報は、録画部３で生成された後、定期的にマイコン６へ出力される。マイコン６は、入力された番組情報で示される予約番組タイトルの文字列と、除外文字データ１０に記述されている除外文字テーブルとを比較し、予約番組タイトルから除外文字データ１０に含まれる文字を除外し、除外済予約番組タイトルを生成する。予約番組タイトルから除外文字を除外する理由は、番組タイトルにとって重要な意味を持つ文字のみを残し、それ以外の文字（区切り文字や括弧等のように、文字の役割上、番組にとって意味がある文字とは言えない文字）を除外することによって、予約番組の移動検出の精度を向上させるためである。
【００１８】
図６は、除外文字データ記憶部８に記憶される除外文字テーブルの一例を示す説明図である。図６に示されるように、除外文字テーブルには、例えば、記号、スペース、区切り点、括弧、及び外字（特に、四角形の枠が付けられた文字）等が含まれる。図６に示される例においては、種別１の『◇』（四角記号）、種別２の『▽』（逆三角記号）、種別３の『・』（中点記号）、種別４の『  』（スペース）が除外文字テーブルに含まれる。『◇』（四角記号）は番組の区切りとして用いられることが多いため、『▽』（逆三角記号）は番組の内容情報の区切り（番組内として使われることが多いため、『・』（中点）や『  』（スペース）は汎用的に文字列の区切り文字として使われることが多いために、除外文字として扱う。また、図６に示される例においては、種別５の『、』（読点）、種別６の『。』（句点）、種別７の『．』（ピリオド）、種別８の『，』（コンマ）が除外文字テーブルに含まれる。これらは汎用的に区切り文字として使われることが多いため、除外文字として扱う。また、種別９の『「』や種別１０『」』（括弧）、種別１１の『（』や種別１２の『）』（括弧）、種別１３の『“』や種別１４の『”』（括弧）は、括弧として使われることが多いため、除外文字として扱う。
【００１９】
さらに、ＥＰＧの番組情報においては、番組の属性や種別などを少ないスペースで表すために定義された外字が用いられる。このような外字は、番組の属性を表しているが、前後の番組にも同じ外字が付加されることも多く、比較の妨げになることもあるため、除外文字として扱う。図６に示される例においては、種別１５の『［新］』（『新』を四角で囲んだ外字文字であり、新番組を表す。）、種別１６の『［終］』（『終』を四角で囲んだ外字文字であり、最終回を表す。）、種別１７の『［文］』（『文』を四角で囲んだ外字文字であり、文字放送を表す。）、種別１８の『［多］』（『多』を四角で囲んだ外字文字であり、音声多重放送を表す。）、種別１９の『［二］』（『二』を四角で囲んだ外字文字であり、二ヶ国語放送を表す。）、種別２０の『［再］』（『再』を四角で囲んだ外字文字であり、再放送を表す。）、種別２１の『［ス］』（『ス』を四角で囲んだ外字文字であり、ステレオ放送を表す。）、種別２２の『［Ｂ］』（『Ｂ』を四角で囲んだ外字文字であり、Ｂモードステレオ放送を表す。）を、除外文字として扱う。例えば、『［ス］』（『ス』を四角で囲んだ外字文字）は、チャンネルにより出現確率にばらつきはあるものの、平均すると約４３％の番組タイトルに出現していた。さらに、出現確率の高いチャンネルでは、『［ス］』（『ス』を四角で囲んだ外字文字）は、約６５％の番組タイトルに使われており、これだけの高確率で番組タイトルに出現する文字を、番組タイトルの一致判定に用いると、判定結果に悪影響が及ぶと考えられる。なお、図６の例では、上記した２２個の文字を除外文字として設定したが、新たな区切り文字や括弧、外字を追加して設定したり、図６で挙げている文字のうち、使用頻度の低い文字を除外文字から外して設定したりしてもよい。
【００２０】
マイコン６は、除外済予約番組タイトルと番組情報保存領域７内の放送予定の番組情報とを用いて、番組情報保存領域７内の番組情報から、予約番組に該当する番組を探す。このとき、番組情報保存領域７内の番組情報において、予約番組のチャンネルと同じチャンネルであって、予約番組の放送開始日時を中心に所定の時間内にある番組を予約範囲内番組とする。そして、マイコン６は、番組情報保存領域７内の番組情報の予約範囲内番組の番組タイトルと、予約された番組の除外済予約番組タイトルとを、文字単位又は複数の文字を結合させた文字列単位で比較し、最も一致度の高い番組タイトルを持つ番組を予約範囲内番組内から抽出する。マイコン６は、この抽出された番組を予約番組の移動先として検出する。このように、マイコン６は、利用者によって入力された予約番組から除外済予約番組タイトルを生成し、この生成された除外済予約番組タイトルを番組情報保存領域７内の番組情報と比較することによって、予約番組の移動検出を行う。なお、入力された予約情報中の曜日モードが、１回のみの予約動作（図１におけるモード番号１）でなく、曜日指定等のある複数回の予約動作を実行させるものである場合は、対象となる日時の番組情報が番組情報保存領域７に存在している期間分の予約番組移動検出が実施される。
【００２１】
図７は、実施の形態１に係る番組予約装置が実施する予約番組移動検出動作を示すフローチャートである。
【００２２】
図７に示されるように、実施の形態１における予約番組移動検出動作は以下のように実行される。先ず、マイコン６は、予約情報（図５）から予約番組のチャンネルと放送開始日時を取得する（ステップＳ１０１）。次に、マイコン６は、予約番組のチャンネルと同じチャンネルにおいて、予約番組の放送開始日時よりも１時間前以降に放送が開始される先頭番組（すなわち、予約番組の放送開始日時よりも１時間前以降に放送が開始される番組の内の最も早く放送開始される番組）に関する番組情報を、番組情報保存領域７に保存されている番組情報から取得する（ステップＳ１０２）。次に、マイコン６は、ステップＳ１０２における番組情報の取得が成功したかどうかの判定を行う（ステップＳ１０３）。
【００２３】
ステップＳ１０３において番組情報の取得が成功した場合には、マイコン６は、取得した番組の放送開始日時が、予約番組の放送開始日時の１時間後以内であるかどうかの判定を行う（ステップＳ１０４）。ステップＳ１０４において取得した番組の放送開始日時が予約番組の放送開始日時の１時間後以内であると判断された場合には、マイコン６は、除外済予約番組タイトルと取得した番組タイトルを比較して一致文字数を算出し（ステップＳ１０５）、一致文字数の１文字を１ポイントとして一致ポイントを算出する（ステップＳ１０６）。次に、マイコン６は、一致ポイントが０ポイントか否かの判定を行う（ステップＳ１０７）。ステップＳ１０７において一致ポイントが０ポイントでない（すなわち、１ポイント以上である）場合には、マイコン６は、取得した番組を番組タイトルの一致リスト（後述する図８参照）に追加し（ステップＳ１０８）、その後、予約範囲番組内において、直前に取得された番組の次に放送される番組に関する番組情報を取得する（ステップＳ１０９）。また、ステップＳ１０７において一致ポイントが０ポイントである場合には、マイコン６は、取得した番組を番組タイトルの一致リストに追加せずに、予約範囲番組内において、直前に取得された番組の次に放送される番組に関する番組情報を取得する（ステップＳ１０９）。マイコン６は、ステップＳ１０９の後に、処理をステップＳ１０３に進め、再び番組情報の取得が成功したかどうか判定を行う。
【００２４】
ステップＳ１０３において番組を取得できなかったと判定された場合と、ステップＳ１０４において取得した番組の放送開始日時が予約番組の放送開始日時の１時間後以内でないと判定された場合は、ステップＳ１１０において一致リストに列挙されている番組があるかどうかの判定を行う。
【００２５】
次に、マイコン６は、一致リストに列挙されている番組があるかどうかの判定を行う（ステップＳ１１０）。ステップＳ１１０において列挙されている番組があると判定された場合には、マイコン６は、最大の一致ポイントを持つ番組が１番組のみかどうかの判定を行う（ステップＳ１１１）。ステップＳ１１１において最大の一致ポイントを持つ番組が１番組だけの場合は、マイコン６は、その最大の一致ポイントを持つ番組を予約番組が移動した番組であると判断し（ステップＳ１１２）、予約番組の検出動作を終了する。ステップＳ１１０において一致リストに番組がないと判定された場合と、ステップＳ１１１において最大の一致ポイントを持つ番組が複数であると判定された場合には、マイコン６は、検出番組なしと判断して（ステップＳ１１３）、予約番組の検出動作を終了する。
【００２６】
なお、図７の例においては、ステップＳ１０４におい取得した番組の放送開始日時が予約番組の放送開始日時の１時間後以内ではないと判定された場合は、ステップＳ１１０において一致リストに列挙されている番組があるかどうかの判定を行う場合を説明したが、本発明はこれに限定されない。例えば、予約番組と比較を行う電子番組情報における番組の範囲を、予約番組の放送開始日時の前後１時間以内の番組ではなく、前後２時間以内や前後３時間以内の番組のように異なる範囲に変更してもよい。
【００２７】
図８は、予約番組移動検出動作によって検出された番組を含む一致リストの例を示す説明図である。図８に示されるように、一致リストには、図７のステップＳ１０８において追加された番組に関する情報が含まれる。図８には、番組１と番組２の２つの番組が一致リストに追加された場合を示す。図８において、番組１に関する情報は、一致ポイントの値（例えば、「２」）と、放送開始時間（例えば、２００４年１１月１１日２０時４５分）と、放送終了時間（例えば、２００４年１１月１１日２１時１５分）とを含む。同様に、番組２に関する情報は、一致ポイントの値（例えば、「３」）と、放送開始時間（例えば、２００４年１１月１１日２１時１５分）と、放送終了時間（例えば、２００４年１１月１１日２１時４５分）とを含む。図８の例では、番組１と番組２の２番組が一致リストに列挙されて番組であり、予約番組の移動先番組は図８に示された２番組の中から選ばれる。
【００２８】
以上説明したように、実施の形態１に係る番組予約装置又は予約番組移動検出方法によれば、予約番組の番組タイトルから所定の除外文字を除外して除外済予約番組タイトルを生成し、番組予約後に取得された更新された電子番組情報に含まれる番組タイトルと除外済予約番組タイトルとを比較することによって文字の一致の度合いを検出し、この一致の度合いに基づいて予約された番組の放送予定日時が更新された電子番組情報において変更されているか否かを検出するので、除外文字を除外せずに比較を行う場合に比べ、予約番組の移動の検出精度を向上させることができるという効果が得られる。
【００２９】
以下に実施の形態１の効果について説明する。例えば、予約設定情報入力端子２から入力された予約情報が図９に示される予約情報であり、番組情報保存領域７に保存されている番組情報が図１０に示される番組情報を含む場合を検討する。
【００３０】
この例では、図９に示されるように、予約番組は、２００４年１１月１１日２１時００分から２００４年１１月１１日２１時３０分まで１０チャンネルで放送される、『［文］［ス］英語』というタイトルの番組である。
【００３１】
また、図１０に示されるように、予約後に取得した番組情報に基づいて一致リストに掲載された番組情報１は、２００４年１１月１１日２０時４５分から２００４年１１月１１日２１時１５分まで１０チャンネルで放送される、『［文］［ス］独語講座』というタイトルの番組であり、一致リストに掲載された番組情報２は、２００４年１１月１１日２１時１５分から２００４年１１月１１日２１時４５分まで１０チャンネルで放送される、『英語講座』というタイトルの番組である。
【００３２】
そして、図８に示される予約番組（本来予約したかった番組）は、図９に示される番組情報２の番組であり、放送局の都合により、放送開始時刻が１５分遅れている。また、番組タイトルも小さな変更があり『英語講座』となっている。
【００３３】
以上の条件で、除外文字を取り除かずに予約番組された番組タイトル『［文］［ス］英語』と番組情報１の番組タイトル『［文］［ス］独語講座』の比較、並びに、予約番組された番組タイトル『［文］［ス］英語』と番組情報２の番組タイトル『英語講座』との比較を行うと、番組情報１の番組タイトルと一致する文字数は３文字、番組情報２の番組タイトルと一致する文字数は２文字となり、番組情報１の番組タイトルの方が多く一致ポイントが多くなり誤った番組を移動番組として選択してしまう。
【００３４】
これに対し、除外文字を取り除いた除外済予約番組タイトル『英語』と、番組情報１の番組タイトル『［文］［ス］独語講座』の比較、並びに、除外済予約番組タイトル『英語』と番組情報２の番組タイトル『英語講座』との比較を行うと、番組情報１の番組タイトルと一致する文字数は１文字、番組情報２の番組タイトルと一致する文字数は２文字となり、番組情報２の番組タイトルの方が一致ポイントが多くなり、正しい番組が移動番組として選択される。
【００３５】
上記例においては、番組タイトル表記にゆれがあったり、外字が一定していなかったりしているが、実際のＥＰＧによる番組情報においても、番組タイトルが短く省略されたり、外字部分の順序が変わったり、外字そのものが省略されたりといった表記のゆれが存在するため、除外文字を取り除いて番組名比較を行うことで、誤検出の発生する確率を大幅に低減することができる。なお、上述の方法で実際の放送について実験を行ったところ、実際のＥＰＧの１チャンネル７日分の番組情報において、予約したときの番組タイトルと最新の番組タイトルとで半分以上の文字が一致しなくなってしまった番組は、２６番組あった。このうち、除外文字の取り除きを行わない場合では８番組を誤検出したが、除外文字の取り除きを行った場合では２番組の誤検出にとどまり、誤検出する番組数を７５％削減することができた。
【００３６】
マイコン６は、予約番組移動検出を行った後、検出した番組の番組情報から予約番組移動情報を生成し、録画部３へ出力する。図１１は、予約番組移動情報の例を示す説明図である。図１１において、データ有無は、予約番組移動検出によって検出した番組があるかどうかを表す。検出した番組がある場合は「あり」、ない場合は「なし」が記述される。検出した番組がある場合は、放送開始日時に検出した番組の放送開始日時が設定され、放送終了日時は検出した番組の放送終了日時が設定される。なお、入力された予約情報中の曜日モードが１回のみでなく、何らかの曜日指定がある場合には、対象となる日時の番組情報が番組情報保存領域７に存在している期間分の予約番組移動情報が列挙されて録画部３に出力される。例えば、予約情報の曜日モードに毎日が指定してあり、予約情報の放送開始日時以降の番組情報が番組情報保存領域７に７日分あるとすると、７日分の予約番組移動情報が列挙されて出力される。録画部３は、入力された予約番組移動情報をもとに番組予約時間の変更を実施する。
【００３７】
また、実施の形態１においては、番組の周期性を利用せず、予約された番組の番組タイトルと、所定の範囲内にある番組の番組タイトルとを比較するため、特定の曜日の特定の時間、もしくは毎日の特定の時間に連続して放送される連続番組に対する連続予約に限定することなく、番組タイトルを持つ番組に対する予約に対して、放送時間の変更を認識できるという効果もある。
【００３８】
なお、上記説明においては、番組予約装置が録画予約をする場合を説明したが、番組予約視聴装置における視聴予約、番組予約録音装置における録音予約、番組予約聴取装置における聴取予約を行ってもよい。
【００３９】
また、上記説明においては、予約された番組の番組タイトルから除外文字を除去し、番組情報の番組タイトルと比較する方法を説明した。しかし、予約された番組の番組タイトルから除外文字を除外しないで、又は、予約された番組の番組タイトルから除外文字を除外する処理に追加して、番組情報の番組タイトルから除外文字を除外する処理を行い、その後、番組タイトルの比較を行ってもよい。すなわち、予約番組のタイトルと、番組情報の番組タイトルとの比較に際して、除外文字を除外して比較が行われる方法であれば、他の方法であってもよい。
【００４０】
実施の形態２．
実施の形態２に係る番組予約装置（及び予約番組移動検出方法）は、一致ポイントの算出方法が上記実施の形態１に係る番組予約装置（及び予約番組移動検出方法）の場合と相違する。上記実施の形態１においては、一致ポイントの算出方法として番組タイトルにおける一致した文字数をそのまま一致ポイントに置き換えたが、実施の形態２においては番組タイトルにおいて連続して文字一致したかどうかを考慮し、連続して文字が一致している場合には、一致ポイントを高くする算出方法を採用している。
【００４１】
図１２は、実施の形態２における一致ポイントの算出方法と、一致した文字数をそのまま一致ポイントとする方法（実施の形態１）とを比較して示す説明図である。図１２には、予約番組のタイトルが『ＡＢＣ［Ｎ］』（［Ｎ］は四角で囲われたＮを示す。）であり、それに対して番組情報保存領域７から取得してきた２つの番組があり、番組タイトル１が『ＡＢＣニュース』であり、番組タイトル２が『Ａ様Ｂ様Ｃ様』であるとする。予約番組の番組タイトルに相当するのは番組タイトル１であり、予約時の番組タイトルの中の『［Ｎ］』が番組タイトル１においては『ニュース』に変更されている。
【００４２】
ここで、予約番組タイトル『ＡＢＣ［Ｎ］』と番組タイトル１『ＡＢＣニュース』との比較、並びに、予約番組タイトル『ＡＢＣ［Ｎ］』と番組タイトル２『Ａ様Ｂ様Ｃ様』との比較とを行う。その結果、一致した文字数は、番組タイトル１及び番組タイトル２のいずれについても３文字である。しかし、連続一致文字数は、番組タイトル１については３文字（『ＡＢＣ』において３連続で一致している）、番組タイトル２については０文字（複数の文字が連続して一致していない）となる。連続一致文字数を考慮しない場合には、番組タイトル１及び番組タイトル２のいずれについても一致ポイントが３ポイントとなるため、図１７のステップＳ１１１の判定によって一致番組なしと判定される。しかし、連続一致文字数を考慮して一致ポイントに加算した場合では、番組タイトル１の一致ポイントが６ポイント、番組タイトル２の一致ポイントが３ポイントとなり、ステップＳ１１１の判定によって番組タイトル１を持つ番組が検出され、正しい番組を選択することが可能となる。
【００４３】
実施の形態２に係る番組予約装置（及び予約番組移動検出方法）によれば、予約番組の移動検出精度をより一層向上させることができる。
【００４４】
上記説明においては、複数の文字が連続して一致した場合をポイントを加算する対象としたが、一致文字の前後の位置関係を加算対象としてもよい。例えば、予約タイトル「ＡＢＣ」と番組情報のタイトル「ＡＢＣ」のように文字の順序までもが一致する場合には、予約タイトル「ＡＢＣ」と番組情報のタイトル「ＢＡＣ」のように文字の順序に一致しない箇所がある場合よりも高いポイントにする場合である。
【００４５】
また、タイトルの長さの差をポイントの加算対象としてもよい。例えば、予約タイトル「ＡＢＣＤＥ」と番組情報のタイトル「ＡＢＣＤＸ」のようにタイトルの長さが一致する場合には、予約タイトル「ＡＢＣＤＥ」と番組情報のタイトル「ＡＢＣＤＸＹ」のようにタイトルの長さが一致しない場合よりも高いポイントにする場合である。
【００４６】
なお、実施の形態２において、上記以外の点は、上記実施の形態１の場合と同じである。
【００４７】
実施の形態３．
上記実施の形態１に係る番組予約装置（及び予約番組移動検出方法）においては、図７のステップＳ１１１において最大の一致ポイントを持つ番組が１つである場合には、最大の一致ポイントを持つ番組を検出番組とした。しかし、実施の形態３に係る番組予約装置（及び予約番組移動検出方法）においては、図７のステップＳ１１１において最大の一致ポイントを持つ番組が１つである場合には、最大の一致ポイントを持つ番組の一致ポイントと２番目に高い一致ポイントを持つ番組の一致ポイントとの差に基づいて検出番組の有無を判定する。例えば、最大の一致ポイントを持つ番組の一致ポイントを２番目に高い一致ポイントを持つ番組の一致ポイントで除算し、１．５以上の値が得られた場合に検出番組ありと判定する。
【００４８】
このような処理を追加することによって、最大の一致ポイントを持つ番組と２番目に高いポイントを持つ番組とのポイントの差が僅かしかない場合には、最大の一致ポイントを持つ番組が予約番組に一致していない可能性も高いので検出番組なしとすることができ、結果的に移動番組の検出精度を向上させることができる。
【００４９】
なお、一致番組の有無の判定として、最大の一致ポイントを持つ番組の一致ポイントを２番目に高い一致ポイントを持つ番組の一致ポイントで除算して１．５以上としているが、この数値が１を超える数であれば、２又は２．５などのような他の値であってもよい。
【００５０】
また、実施の形態３において、上記以外の点は、上記実施の形態１及び２の場合と同じである。
【００５１】
実施の形態４．
図１３は、本発明の実施の形態４に係る番組予約装置（すなわち、実施の形態４に係る予約番組移動検出方法を実施することができる装置）の構成を概略的に示すブロック図である。図１３において、図１の構成と同一又は対応する構成には同じ符号を付す。
【００５２】
実施の形態２に係る番組予約装置（又は予約番組移動検出方法）は、除外文字データ入力端子１１から除外文字データを入力して、除外文字データ記憶部８に格納されている除外文字データを更新（追加及び削除）可能にした点が、上記実施の形態１に係る番組予約装置（又は予約番組移動検出方法）と相違する。
【００５３】
図１４は、除外文字データ入力端子１１から入力される追加の除外文字の例を示す説明図である。図１４において、番号は除外文字データ記憶部８内の除外文字テーブルにおいて各除外文字に振り当てられる番号（図６参照）と対応し、除外文字は、その番号で表される除外文字である。この例では、番号２３に除外文字として手話放送を表す『［手］』（「手」を四角で囲んだ外字文字）を設定している。マイコン６は、入力された除外文字更新情報に従って、除外文字データ記憶部８内の除外文字テーブルを更新する。
【００５４】
このようにして、外部から除外文字を変更できることによって、除外文字を自由に追加、変更することができるため、番組タイトルの中で番組を特徴付ける役割の低い特定の外字や文字が頻繁に出現するようになった場合においても、該当する外字や文字を除外文字に追加することによって対応することができる。このため、番組タイトルの中で番組を特徴付ける役割の低い特定の外字や文字が頻繁に出現するようになった場合においても、該当する外字や文字を除外文字に追加及び変更することによって対応することができるという効果がある。
【００５５】
なお、実施の形態４において、上記以外の点は、上記実施の形態１乃至３の場合と同じである。
【００５６】
実施の形態５．
図１５は、実施の形態５に係る番組予約装置が実施する予約番組移動検出動作を示すフローチャートである。図１５において、図７の処理ステップと同一又は対応する処理ステップには同じ符号を付す。
【００５７】
実施の形態５に係る番組予約装置（又は予約番組移動検出方法）は、図７（実施の形態１）におけるステップＳ１０１を図１５（実施の形態５）におけるステップＳ１２１に置き換えた点、及び、図１５（実施の形態５）におけるステップＳ１２２を追加した点が、上記実施の形態１に係る番組予約装置（又は予約番組移動検出方法）と相違する。
【００５８】
具体的にいえば、図７（実施の形態１）におけるステップＳ１０１の処理においては、予約情報からチャンネル及び予約番組の放送開始日時を取得していたが、図１５（実施の形態５）におけるステップＳ１２１の処理においては、予約情報からチャンネル及び予約番組の放送開始日時に加え、予約番組の放送終了日時を取得する。また、図１５（実施の形態５）におけるステップＳ１２２の処理においては、ステップＳ１０４における判定のあと、取得した番組の放送開始日時が、予約番組の放送開始日時の１時間後以内であった場合は、予約番組放送時間長と取得した番組の番組放送時間長を比較し、番組放送時間長が予約番組放送時間長の１／３以上で、かつ、予約番組放送時間長の３倍以内の範囲内であるかどうかの判定を行い、前記範囲内であれば、処理をステップＳ１０５に進め、前記範囲内でなければ処理をステップＳ１０９に進める。ここで、放送番組時間長とは、放送開始時刻から放送終了時刻までの時間（すなわち、番組の長さ）を示す。
【００５９】
このようにすることで、予約された番組の長さと著しく異なる番組を移動先の候補から外すことができるため、予約番組のタイトルと似通った番組タイトルを持つ番組が複数あったとしても、それらの番組の長さが大きく異なっていれば、本来の番組を正しく検出することができるため、検出の精度を上げることができる。
【００６０】
また、予約番組放送時間長と予約範囲内番組の番組放送時間長を比較し、その差が所定の範囲内に入っているかどうかの判定を行うようにしたため、予約範囲内番組に、予約番組のタイトルと似通った番組タイトルを持つ番組が複数あったとしても、それらの番組の長さが大きく異なっていれば、本来の番組を正しく検出することができるため、検出の精度を上げることができるという効果がある。
【００６１】
なお、上記例では、番組放送時間長の有効範囲を予約番組放送時間長の１／３以上かつ予約番組放送時間長の３倍以内としたが、予約番組放送時間長を使って算出する範囲であれば他の値を採用してもよい。例えば、予約番組放送時間長の１／４以上かつ予約番組放送時間長の２倍以内の範囲であってもよい。
【００６２】
また、実施の形態５において、上記以外の点は、上記実施の形態１乃至４の場合と同じである。
【図面の簡単な説明】
【００６３】
【図１】本発明の実施の形態１に係る番組予約装置の構成を概略的に示すブロック図である。
【図２】図１に示される番組情報保存領域に番組情報データベースとして保存される番組情報の例を示す説明図である。
【図３】実施の形態１における予約設定情報の例を示す説明図である。
【図４】図３に示される曜日モードの例を示す説明図である。
【図５】実施の形態１における予約情報の例を示す説明図である。
【図６】図１に示される除外文字データ記憶部に除外文字データとして記憶される除外文字テーブルの例を示す説明図である。
【図７】実施の形態１に係る番組予約装置が実行する予約番組移動検出処理を示すフローチャートである。
【図８】実施の形態１における予約番組移動検出における一致リストの例を示す説明図である。
【図９】実施の形態１における予約情報の例（実施の形態１の効果を説明するための例）を示す説明図である。
【図１０】実施の形態１における番組情報の例（実施の形態１の効果を説明するための例）を示す説明図である。
【図１１】実施の形態１における予約番組移動情報の例を示す説明図である。
【図１２】本発明の実施の形態２に係る番組予約装置において一致ポイントの算出方法と、一致した文字数をそのまま一致ポイントとする方法（実施の形態１）とを比較して示す説明図である。
【図１３】本発明の実施の形態４に係る番組予約装置（実施の形態４に係る予約番組移動検出方法を実行することができる装置）の構成を概略的に示すブロック図である。
【図１４】実施の形態４において除外文字データ入力端子から入力される追加の除外文字の例を示す説明図である。
【図１５】本発明の実施の形態５に係る番組予約装置が実行する予約番組移動検出動作を示すフローチャートである。
【符号の説明】
【００６４】
１  アンテナ入力端子、  ２  予約設定情報入力端子、  ３  録画部、  ４  チューナー、  ５  ＥＰＧ復号器、  ６  マイコン、  ７  番組情報保存領域、  ８  除外文字データ記憶部、  １１  除外文字データ入力端子。
【図１】
2006197157.tif 000003
【図２】
2006197157.tif 000004
【図３】
2006197157.tif 000005
【図４】
2006197157.tif 000006
【図５】
2006197157.tif 000007
【図６】
2006197157.tif 000008
【図７】
2006197157.tif 000009
【図８】
2006197157.tif 000010
【図９】
2006197157.tif 000011
【図１０】
2006197157.tif 000012
【図１１】
2006197157.tif 000013
【図１２】
2006197157.tif 000014
【図１３】
2006197157.tif 000015
【図１４】
2006197157.tif 000016
【図１５】
2006197157.tif 000017